(57)【要約】【課題】  利便性の向上と、人件費の低減と、料金の安全な受け取りとを実現することができるドキュメント印刷システム、画像形成装置およびドキュメント印刷プログラムを提供する。【解決手段】  ドキュメント印刷システムにおいて、コンピューター４０は、ドキュメントの印刷データを生成し（Ｓ１３９）、ドキュメントのページ数および印刷設定に基づいて料金を計算し（Ｓ１４０）、ＭＦＰ３０は、コンピューター４０によって計算された料金に対してオンライン決済サービス５０によって発行された支払いコードを通知し（Ｓ１４５）、通知した支払いコードを使用してオンライン決済サービス５０経由で料金が支払われた場合に、Ｓ１３９において生成された印刷データに基づいてプリンターで印刷を実行する。【選択図】  図１１
2018043471.tif 000002
【特許請求の範囲】
【請求項１】
印刷デバイスを備える画像形成装置と、
ドキュメントの印刷データを生成する印刷データ生成手段と、
前記ドキュメントのページ数および印刷設定に基づいて料金を計算する料金計算手段と、
前記料金計算手段によって計算された前記料金に対してオンライン決済サービスによって発行された支払いコードを通知する支払いコード通知手段と
を備え、
前記画像形成装置は、前記支払いコード通知手段によって通知された前記支払いコードを使用して前記オンライン決済サービス経由で前記料金が支払われた場合に、前記印刷データに基づいて前記印刷デバイスで印刷を実行するドキュメント印刷手段を備えることを特徴とするドキュメント印刷システム。
【請求項２】
前記画像形成装置は、表示デバイスを備え、
前記支払いコード通知手段は、前記支払いコードを前記表示デバイスへの表示によって通知することを特徴とする請求項１に記載のドキュメント印刷システム。
【請求項３】
前記支払いコード通知手段によって通知された前記支払いコードを使用して前記オンライン決済サービス経由で前記料金を支払うための利用者端末を備え、
前記利用者端末は、撮影デバイスを備え、前記表示デバイスに表示された前記支払いコードを前記撮影デバイスによって撮影することによって取得することを特徴とする請求項２に記載のドキュメント印刷システム。
【請求項４】
前記支払いコード通知手段は、前記支払いコードを二次元コードとして前記表示デバイスに表示することを特徴とする請求項３に記載のドキュメント印刷システム。
【請求項５】
前記画像形成装置は、前記印刷設定を受け付ける印刷設定受付手段を備え、
前記印刷データ生成手段は、前記印刷設定受付手段によって受け付けられた前記印刷設定に基づいて前記印刷データを生成することを特徴とする請求項１から請求項４までの何れかに記載のドキュメント印刷システム。
【請求項６】
前記印刷データ生成手段は、前記ドキュメントを記憶するドキュメント記憶サービスに記憶されている前記ドキュメントの前記印刷データを生成することを特徴とする請求項１から請求項５までの何れかに記載のドキュメント印刷システム。
【請求項７】
前記ドキュメント記憶サービスを備え、
前記ドキュメント記憶サービスは、前記ドキュメントに基づいて前記ページ数を取得し、
前記料金計算手段は、前記ドキュメント記憶サービスによって取得された前記ページ数に基づいて前記料金を計算することを特徴とする請求項６に記載のドキュメント印刷システム。
【請求項８】
印刷デバイスと、
ドキュメントの印刷データを生成する印刷データ生成手段と、
前記ドキュメントのページ数および印刷設定に基づいた料金に対してオンライン決済サービスによって発行された支払いコードを通知する支払いコード通知手段と、
前記支払いコード通知手段によって通知された前記支払いコードを使用して前記オンライン決済サービス経由で前記料金が支払われた場合に、前記印刷データに基づいて前記印刷デバイスで印刷を実行するドキュメント印刷手段と
を備えることを特徴とする画像形成装置。
【請求項９】
印刷デバイスを備える画像形成装置に、
ドキュメントの印刷データを生成する印刷データ生成手段と、
前記ドキュメントのページ数および印刷設定に基づいた料金に対してオンライン決済サービスによって発行された支払いコードを通知する支払いコード通知手段と、
前記支払いコード通知手段によって通知された前記支払いコードを使用して前記オンライン決済サービス経由で前記料金が支払われた場合に、前記印刷データに基づいて前記印刷デバイスで印刷を実行するドキュメント印刷手段と
を実現させることを特徴とするドキュメント印刷プログラム。
【発明の詳細な説明】
【技術分野】
【０００１】
本発明は、ドキュメントの印刷を実行するドキュメント印刷システム、画像形成装置およびドキュメント印刷プログラムに関する。
【背景技術】
【０００２】
従来、現金による料金の支払いを可能にするコインベンダーと、複写機とを備えていて、複写機によるコピーのジョブの実行の際にリアルタイムでコインベンダーによって料金の支払いを実行するシステムが知られている（例えば、特許文献１参照。）。
【先行技術文献】
【特許文献】
【０００３】
【特許文献１】特開２００１−３５１１６７号公報
【発明の概要】
【発明が解決しようとする課題】
【０００４】
しかしながら、特許文献１に記載されたシステムにおいては、利用者によってコインベンダーに投入された現金が減って料金の支払いが滞った時点でコピーのジョブの実行が停止され、その後、コインベンダーに現金が追加で投入されて料金の支払いが可能になった時点でコピーのジョブの実行が再開されるので、利便性が悪いという問題がある。
【０００５】
また、特許文献１に記載されたシステムにおいては、コインベンダーに現金で格納されている料金が複写機の管理者側の人間によって定期的に回収される必要があるので、人件費がかかるという問題がある。
【０００６】
また、特許文献１に記載されたシステムにおいては、料金が現金でコインベンダーに格納されているので、コインベンダーが格納している現金が盗難されて、複写機の管理者が料金を受け取れない可能性があるという問題がある。
【０００７】
そこで、本発明は、利便性の向上と、人件費の低減と、料金の安全な受け取りとを実現することができるドキュメント印刷システム、画像形成装置およびドキュメント印刷プログラムを提供することを目的とする。
【課題を解決するための手段】
【０００８】
本発明のドキュメント印刷システムは、印刷デバイスを備える画像形成装置と、ドキュメントの印刷データを生成する印刷データ生成手段と、前記ドキュメントのページ数および印刷設定に基づいて料金を計算する料金計算手段と、前記料金計算手段によって計算された前記料金に対してオンライン決済サービスによって発行された支払いコードを通知する支払いコード通知手段とを備え、前記画像形成装置は、前記支払いコード通知手段によって通知された前記支払いコードを使用して前記オンライン決済サービス経由で前記料金が支払われた場合に、前記印刷データに基づいて前記印刷デバイスで印刷を実行するドキュメント印刷手段を備えることを特徴とする。
【０００９】
この構成により、本発明のドキュメント印刷システムは、ドキュメントのページ数および印刷設定に基づいた正確な料金が支払われた後で、このドキュメントの印刷データに基づいた印刷を実行するので、「ドキュメントの印刷を実行する」というドキュメント印刷のジョブの実行が料金の支払いの滞りによって途中で停止されることがなく、利便性の向上を実現することができる。また、本発明のドキュメント印刷システムは、料金の支払いにコインベンダーではなくオンライン決済サービスを利用するので、コインベンダーからの料金の取得作業が不要であり、人件費の低減と、料金の安全な受け取りとを実現することができる。
【００１０】
本発明のドキュメント印刷システムにおいて、前記画像形成装置は、表示デバイスを備え、前記支払いコード通知手段は、前記支払いコードを前記表示デバイスへの表示によって通知しても良い。
【００１１】
この構成により、本発明のドキュメント印刷システムは、画像形成装置が支払いコードを表示デバイスへの表示によって通知するので、画像形成装置によって通知された支払いコードを使用してオンライン決済サービス経由で料金を支払うための利用者端末と、画像形成装置とが互いに通信できない場合であっても、画像形成装置の表示デバイスに表示された支払いコードを使用して利用者端末によってオンライン決済サービス経由で料金を支払うことができる。
【００１２】
本発明のドキュメント印刷システムは、前記支払いコード通知手段によって通知された前記支払いコードを使用して前記オンライン決済サービス経由で前記料金を支払うための利用者端末を備え、前記利用者端末は、撮影デバイスを備え、前記表示デバイスに表示された前記支払いコードを前記撮影デバイスによって撮影することによって取得しても良い。
【００１３】
この構成により、本発明のドキュメント印刷システムは、画像形成装置の表示デバイスに表示された支払いコードを利用者端末の利用者が利用者端末に手入力する必要がないので、利便性を向上することができる。
【００１４】
本発明のドキュメント印刷システムにおいて、前記支払いコード通知手段は、前記支払いコードを二次元コードとして前記表示デバイスに表示しても良い。
【００１５】
この構成により、本発明のドキュメント印刷システムは、支払いコードが二次元コードとしてコンパクトに画像形成装置の表示デバイスに表示されるので、利用者端末の撮影デバイスによって撮影し易く、利便性を向上することができる。
【００１６】
本発明のドキュメント印刷システムにおいて、前記画像形成装置は、前記印刷設定を受け付ける印刷設定受付手段を備え、前記印刷データ生成手段は、前記印刷設定受付手段によって受け付けられた前記印刷設定に基づいて前記印刷データを生成しても良い。
【００１７】
この構成により、本発明のドキュメント印刷システムは、利用者が画像形成装置から指定した印刷設定でドキュメントを印刷することができる。
【００１８】
本発明のドキュメント印刷システムにおいて、前記印刷データ生成手段は、前記ドキュメントを記憶するドキュメント記憶サービスに記憶されている前記ドキュメントの前記印刷データを生成しても良い。
【００１９】
この構成により、本発明のドキュメント印刷システムは、「ドキュメント記憶サービスに記憶されているドキュメントの印刷を実行する」というドキュメント印刷のジョブの実行が料金の支払いの滞りによって途中で停止されることがなく、利便性の向上を実現することができる。
【００２０】
本発明のドキュメント印刷システムは、前記ドキュメント記憶サービスを備え、前記ドキュメント記憶サービスは、前記ドキュメントに基づいて前記ページ数を取得し、前記料金計算手段は、前記ドキュメント記憶サービスによって取得された前記ページ数に基づいて前記料金を計算しても良い。
【００２１】
この構成により、本発明のドキュメント印刷システムは、ドキュメントを記憶するドキュメント記憶サービスがドキュメントのページ数をドキュメントに基づいて取得するので、印刷デバイスによって印刷される印刷データが生成される前にドキュメントのページ数がドキュメント記憶サービスによって取得されることが可能であり、ドキュメント記憶サービスに画像形成装置が直接または間接的にアクセスしてからドキュメントを印刷するまでの時間を短縮することができる。
【００２２】
本発明の画像形成装置は、印刷デバイスと、ドキュメントの印刷データを生成する印刷データ生成手段と、前記ドキュメントのページ数および印刷設定に基づいた料金に対してオンライン決済サービスによって発行された支払いコードを通知する支払いコード通知手段と、前記支払いコード通知手段によって通知された前記支払いコードを使用して前記オンライン決済サービス経由で前記料金が支払われた場合に、前記印刷データに基づいて前記印刷デバイスで印刷を実行するドキュメント印刷手段とを備えることを特徴とする。
【００２３】
この構成により、本発明の画像形成装置は、ドキュメントのページ数および印刷設定に基づいた正確な料金が支払われた後で、このドキュメントの印刷データに基づいた印刷を実行するので、「ドキュメントの印刷を実行する」というドキュメント印刷のジョブの実行が料金の支払いの滞りによって途中で停止されることがなく、利便性の向上を実現することができる。また、本発明の画像形成装置は、料金の支払いにコインベンダーではなくオンライン決済サービスを利用するので、コインベンダーからの料金の取得作業が不要であり、人件費の低減と、料金の安全な受け取りとを実現することができる。
【００２４】
本発明のドキュメント印刷プログラムは、印刷デバイスを備える画像形成装置に、ドキュメントの印刷データを生成する印刷データ生成手段と、前記ドキュメントのページ数および印刷設定に基づいた料金に対してオンライン決済サービスによって発行された支払いコードを通知する支払いコード通知手段と、前記支払いコード通知手段によって通知された前記支払いコードを使用して前記オンライン決済サービス経由で前記料金が支払われた場合に、前記印刷データに基づいて前記印刷デバイスで印刷を実行するドキュメント印刷手段とを実現させることを特徴とする。
【００２５】
この構成により、本発明のドキュメント印刷プログラムを実行する画像形成装置は、ドキュメントのページ数および印刷設定に基づいた正確な料金が支払われた後で、このドキュメントの印刷データに基づいた印刷を実行するので、「ドキュメントの印刷を実行する」というドキュメント印刷のジョブの実行が料金の支払いの滞りによって途中で停止されることがなく、利便性の向上を実現することができる。また、本発明のドキュメント印刷プログラムを実行する画像形成装置は、料金の支払いにコインベンダーではなくオンライン決済サービスを利用するので、コインベンダーからの料金の取得作業が不要であり、人件費の低減と、料金の安全な受け取りとを実現することができる。
【発明の効果】
【００２６】
本発明のドキュメント印刷システム、画像形成装置およびドキュメント印刷プログラムは、利便性の向上と、人件費の低減と、料金の安全な受け取りとを実現することができる。
【図面の簡単な説明】
【００２７】
【図１】本発明の一実施の形態に係るドキュメント印刷システムのブロック図である。
【図２】図１に示す利用者端末のブロック図である。
【図３】図１に示すＭＦＰのブロック図である。
【図４】図１に示すコンピューターのブロック図である。
【図５】図４に示すＭＦＰ管理情報の一例を示す図である。
【図６】図４に示す支払いコード管理情報の一例を示す図である。
【図７】図１に示すオンライン決済サービスが記憶する情報の一例を示す図である。
【図８】図７に示す支払いコード管理情報の一例を示す図である。
【図９】図１に示すドキュメント記憶サービスが記憶する情報の一例を示す図である。
【図１０】新たなドキュメントを記憶する場合の図１に示すドキュメント記憶サービスの動作のフローチャートである。
【図１１】ドキュメント印刷のジョブの実行の指示が入力されたＭＦＰが二次元コードを表示するまでの図１に示すドキュメント印刷システムの動作のシーケンス図である。
【図１２】利用者端末が二次元コードを読み取ってからＭＦＰがドキュメント印刷のジョブの実行を終了するまでの図１に示すドキュメント印刷システムの動作のシーケンス図である。
【図１３】図２に示す利用者端末の表示部に表示される支払い画面の一例を示す図である。
【発明を実施するための形態】
【００２８】
以下、本発明の一実施の形態について、図面を用いて説明する。
【００２９】
まず、本実施の形態に係るドキュメント印刷システムの構成について説明する。
【００３０】
図１は、本実施の形態に係るドキュメント印刷システム１０のブロック図である。
【００３１】
図１に示すように、ドキュメント印刷システム１０は、利用者によって利用される利用者端末２０と、画像形成装置としてのＭＦＰ（Ｍｕｌｔｉｆｕｎｃｔｉｏｎ  Ｐｅｒｉｐｈｅｒａｌ）３０と、コンピューター４０と、オンライン上で決済を実行するクラウドサービスであるオンライン決済サービス５０と、銀行口座を管理している銀行口座管理システム６０と、ドキュメントを記憶するドキュメント記憶サービス７０とを備えている。
【００３２】
ＭＦＰ３０は、例えば、コンビニエンスストアなどの商業施設、大学などの公共施設など、様々な施設に設置されることが可能である。ＭＦＰ３０は、ドキュメント記憶サービス７０に記憶されているドキュメントの印刷を、利用者による料金の支払いに応じて実行するデバイスである。
【００３３】
コンピューター４０は、ＭＦＰ３０の料金に関する処理だけでなく、ＭＦＰ３０と同様の少なくとも１台のＭＦＰの料金に関する処理を実行可能でも良い。
【００３４】
オンライン決済サービス５０、銀行口座管理システム６０およびドキュメント記憶サービス７０は、それぞれクラウドサービスであり、それぞれ例えばクラウドサーバーなどのサーバーによって実現されているシステムである。
【００３５】
利用者端末２０と、オンライン決済サービス５０とは、インターネットなどのネットワーク経由で通信可能である。
【００３６】
ＭＦＰ３０と、コンピューター４０とは、ＬＡＮ（Ｌｏｃａｌ  Ａｒｅａ  Ｎｅｔｗｏｒｋ）、インターネットなどのネットワーク経由で、または、ネットワークを介さずに有線または無線によって直接に、通信可能である。
【００３７】
コンピューター４０と、オンライン決済サービス５０とは、インターネットなどのネットワーク経由で通信可能である。
【００３８】
コンピューター４０と、ドキュメント記憶サービス７０とは、インターネットなどのネットワーク経由で通信可能である。
【００３９】
オンライン決済サービス５０と、銀行口座管理システム６０とは、インターネットなどのネットワーク経由で通信可能である。
【００４０】
図２は、利用者端末２０のブロック図である。
【００４１】
図２に示すように、利用者端末２０は、種々の操作が入力されるボタンなどの入力デバイスである操作部２１と、種々の情報を表示するＬＣＤ（Ｌｉｑｕｉｄ  Ｃｒｙｓｔａｌ  Ｄｉｓｐｌａｙ）などの表示デバイスである表示部２２と、カメラなどの撮影デバイスである撮影部２３と、ネットワーク経由で、または、ネットワークを介さずに有線または無線によって直接に、外部の装置と通信を行う通信デバイスである通信部２４と、各種の情報を記憶する半導体メモリーなどの不揮発性の記憶デバイスである記憶部２５と、利用者端末２０全体を制御する制御部２６とを備えている。利用者端末２０は、例えば、スマートフォン、タブレットなどの携帯端末であっても良い。
【００４２】
記憶部２５は、オンライン決済サービス５０（図１参照。）による決済のための決済用プログラム２５ａを記憶している。決済用プログラム２５ａは、利用者端末２０の製造段階で利用者端末２０にインストールされていても良いし、ＵＳＢ（Ｕｎｉｖｅｒｓａｌ  Ｓｅｒｉａｌ  Ｂｕｓ）メモリーなどの外部の記憶媒体から利用者端末２０に追加でインストールされても良いし、ネットワーク上から利用者端末２０に追加でインストールされても良い。
【００４３】
制御部２６は、例えば、ＣＰＵ（Ｃｅｎｔｒａｌ  Ｐｒｏｃｅｓｓｉｎｇ  Ｕｎｉｔ）と、プログラムおよび各種のデータを記憶しているＲＯＭ（Ｒｅａｄ  Ｏｎｌｙ  Ｍｅｍｏｒｙ）と、ＣＰＵの作業領域として用いられるＲＡＭ（Ｒａｎｄｏｍ  Ａｃｃｅｓｓ  Ｍｅｍｏｒｙ）とを備えている。ＣＰＵは、ＲＯＭまたは記憶部２５に記憶されているプログラムを実行する。
【００４４】
制御部２６は、決済用プログラム２５ａを実行することによって、オンライン決済サービス５０に決済を指示する決済指示手段２６ａを実現する。
【００４５】
図３は、ＭＦＰ３０のブロック図である。
【００４６】
図３に示すように、ＭＦＰ３０は、種々の操作が入力されるボタンなどの入力デバイスである操作部３１と、種々の情報を表示するＬＣＤなどの表示デバイスである表示部３２と、原稿から画像を読み取る読取デバイスであるスキャナー３３と、用紙などの記録媒体に画像を印刷する印刷デバイスであるプリンター３４と、図示していない外部のファクシミリ装置と公衆電話回線などの通信回線経由でファックス通信を行うファックスデバイスであるファックス通信部３５と、ネットワーク経由で、または、ネットワークを介さずに有線または無線によって直接に、外部の装置と通信を行う通信デバイスである通信部３６と、各種の情報を記憶する半導体メモリー、ＨＤＤ（Ｈａｒｄ  Ｄｉｓｋ  Ｄｒｉｖｅ）などの不揮発性の記憶デバイスである記憶部３７と、ＭＦＰ３０全体を制御する制御部３８とを備えている。
【００４７】
記憶部３７は、ドキュメント印刷のジョブを実行するためのドキュメント印刷プログラム３７ａを記憶している。ドキュメント印刷プログラム３７ａは、ＭＦＰ３０の製造段階でＭＦＰ３０にインストールされていても良いし、ＵＳＢメモリーなどの外部の記憶媒体からＭＦＰ３０に追加でインストールされても良いし、ネットワーク上からＭＦＰ３０に追加でインストールされても良い。
【００４８】
制御部３８は、例えば、ＣＰＵと、プログラムおよび各種のデータを記憶しているＲＯＭと、ＣＰＵの作業領域として用いられるＲＡＭとを備えている。ＣＰＵは、ＲＯＭまたは記憶部３７に記憶されているプログラムを実行する。
【００４９】
制御部３８は、ドキュメント印刷プログラム３７ａを実行することによって、ドキュメント記憶サービス７０（図１参照。）に記憶されているドキュメントを選択するドキュメント選択手段３８ａと、コンピューター４０（図１参照。）によって計算された料金に対してオンライン決済サービス５０（図１参照。）によって発行された支払いコードを通知する支払いコード通知手段３８ｂと、支払いコード通知手段３８ｂによって通知された支払いコードを使用してオンライン決済サービス５０経由で料金が支払われた場合に、印刷データに基づいてプリンター３４で印刷を実行するドキュメント印刷手段３８ｃと、ドキュメントの印刷設定を受け付ける印刷設定受付手段３８ｄとを実現する。
【００５０】
図４は、コンピューター４０のブロック図である。
【００５１】
図４に示すように、コンピューター４０は、ネットワーク経由で、または、ネットワークを介さずに有線または無線によって直接に、外部の装置と通信を行う通信デバイスである通信部４１と、各種の情報を記憶する半導体メモリーなどの不揮発性の記憶デバイスである記憶部４２と、コンピューター４０全体を制御する制御部４３とを備えている。
【００５２】
記憶部４２は、ドキュメント印刷のジョブを実行するためのドキュメント印刷プログラム４２ａを記憶している。ドキュメント印刷プログラム４２ａは、コンピューター４０の製造段階でコンピューター４０にインストールされていても良いし、ＵＳＢメモリー、ＣＤ（Ｃｏｍｐａｃｔ  Ｄｉｓｋ）、ＤＶＤ（Ｄｉｇｉｔａｌ  Ｖｅｒｓａｔｉｌｅ  Ｄｉｓｋ）などの外部の記憶媒体からコンピューター４０に追加でインストールされても良いし、ネットワーク上からコンピューター４０に追加でインストールされても良い。
【００５３】
記憶部４２は、ＭＦＰを管理するためのＭＦＰ管理情報４２ｂを記憶している。
【００５４】
図５は、ＭＦＰ管理情報４２ｂの一例を示す図である。
【００５５】
図５に示すように、ＭＦＰ管理情報４２ｂは、ＭＦＰの識別情報であるＭＦＰＩＤと、ＭＦＰの管理者の識別情報である管理者ＩＤとが対応付けられた情報である。
【００５６】
図４に示すように、記憶部４２は、オンライン決済サービス５０（図１参照。）によって発行される支払いコードを管理するための支払いコード管理情報４２ｃを記憶可能である。
【００５７】
図６は、支払いコード管理情報４２ｃの一例を示す図である。
【００５８】
図６に示すように、支払いコード管理情報４２ｃは、支払いコードと、ＭＦＰＩＤと、印刷データの識別情報である印刷データＩＤとが対応付けられた情報である。
【００５９】
図４に示す制御部４３は、例えば、ＣＰＵと、プログラムおよび各種のデータを記憶しているＲＯＭと、ＣＰＵの作業領域として用いられるＲＡＭとを備えている。ＣＰＵは、ＲＯＭまたは記憶部４２に記憶されているプログラムを実行する。
【００６０】
制御部４３は、ドキュメント印刷プログラム４２ａを実行することによって、ドキュメント記憶サービス７０（図１参照。）に記憶されているドキュメントの一覧（以下「ドキュメントリスト」と言う。）を取得するドキュメントリスト取得手段４３ａと、ドキュメントの印刷データを生成する印刷データ生成手段４３ｂと、ドキュメントのページ数および印刷設定に基づいて料金を計算する料金計算手段４３ｃと、オンライン決済サービス５０による決済のための通信を実行する決済用通信手段４３ｄとを実現する。
【００６１】
なお、ドキュメントリストには、ドキュメントの識別情報であるドキュメントＩＤが含まれる。
【００６２】
図７は、オンライン決済サービス５０が記憶する情報の一例を示す図である。
【００６３】
図７に示すように、オンライン決済サービス５０は、利用者の銀行口座の情報を利用者の識別情報である利用者ＩＤ毎に示す利用者銀行口座情報５０ａと、ＭＦＰ３０の管理者の口座の情報を管理者ＩＤ毎に示す管理者口座情報５０ｂとを記憶している。
【００６４】
利用者銀行口座情報５０ａには、利用者の銀行口座を管理している銀行の名称や、その銀行口座の口座番号など、利用者の銀行口座に関する情報が含まれている。利用者は、例えば、利用者端末２０の操作部２１を介して決済用プログラム２５ａ経由で、オンライン決済サービス５０の利用者銀行口座情報５０ａに利用者の銀行口座の情報を登録することが可能である。
【００６５】
管理者は、例えば、任意のＰＣ（Ｐｅｒｓｏｎａｌ  Ｃｏｍｐｕｔｅｒ）を介してインターネット経由で、オンライン決済サービス５０の管理者口座情報５０ｂに管理者の口座の情報を登録することが可能である。なお、管理者の口座は、オンライン決済サービス５０によって管理されている口座であって、銀行口座ではない。
【００６６】
オンライン決済サービス５０は、支払いコードを管理するための支払いコード管理情報５０ｃを記憶可能である。
【００６７】
図８は、支払いコード管理情報５０ｃの一例を示す図である。
【００６８】
図８に示すように、支払いコード管理情報５０ｃは、支払いコードと、管理者ＩＤと、料金と、コンピューターの識別情報であるコンピューターＩＤとが対応付けられた情報である。
【００６９】
図９は、ドキュメント記憶サービス７０が記憶する情報の一例を示す図である。
【００７０】
図９に示すように、ドキュメント記憶サービス７０は、少なくとも１つのドキュメント７０ａを利用者ＩＤに対応付けて記憶可能である。ドキュメント７０ａとしては、例えば、ＰＤＦ（Ｐｏｒｔａｂｌｅ  Ｄｏｃｕｍｅｎｔ  Ｆｏｒｍａｔ）ドキュメント、Ｍｉｃｒｏｓｏｆｔ（登録商標）  Ｗｏｒｄドキュメント、Ｍｉｃｒｏｓｏｆｔ  Ｅｘｃｅｌ（登録商標）ドキュメント、Ｍｉｃｒｏｓｏｆｔ  ＰｏｗｅｒＰｏｉｎｔ（登録商標）ドキュメント、ＴＩＦＦ（Ｔａｇｇｅｄ  Ｉｍａｇｅ  Ｆｉｌｅ  Ｆｏｒｍａｔ）ドキュメント、ＪＰＥＧ（Ｊｏｉｎｔ  Ｐｈｏｔｏｇｒａｐｈｉｃ  Ｅｘｐｅｒｔｓ  Ｇｒｏｕｐ）ドキュメントなど、様々な形式のドキュメントが採用されることができる。ドキュメント７０ａは、ドキュメント７０ａ自身の印刷設定が含まれている場合がある。
【００７１】
ドキュメント記憶サービス７０は、ドキュメント７０ａのドキュメントＩＤに対応付けてドキュメント７０ａのページ数を示すページ数情報７０ｂを記憶可能である。
【００７２】
次に、ドキュメント印刷システム１０の動作について説明する。
【００７３】
まず、新たなドキュメント７０ａを記憶する場合のドキュメント記憶サービス７０の動作について説明する。
【００７４】
図１０は、新たなドキュメント７０ａを記憶する場合のドキュメント記憶サービス７０の動作のフローチャートである。
【００７５】
利用者は、利用者端末２０や、ＰＣなどの図示していないコンピューターからドキュメント記憶サービス７０にログインして、新たなドキュメント７０ａの記憶をドキュメント記憶サービス７０に指示することができる。
【００７６】
ドキュメント記憶サービス７０は、新たなドキュメント７０ａの記憶が指示されると、図１０に示すように、新たなドキュメント７０ａを利用者ＩＤに関連付けて記憶する（Ｓ１０１）。
【００７７】
次いで、ドキュメント記憶サービス７０は、Ｓ１０１において記憶したドキュメント７０ａの印刷データを生成し（Ｓ１０２）、生成した印刷データに基づいて、このドキュメント７０ａのページ数を取得する（Ｓ１０３）。
【００７８】
そして、ドキュメント記憶サービス７０は、Ｓ１０３において取得したページ数を、Ｓ１０１において記憶したドキュメント７０ａのドキュメントＩＤに対応付けてページ数情報７０ｂに記憶して（Ｓ１０４）、図１０に示す動作を終了する。
【００７９】
次に、ドキュメント印刷のジョブの実行の指示が入力されたＭＦＰ３０が二次元コードを表示するまでのドキュメント印刷システム１０の動作について説明する。
【００８０】
図１１は、ドキュメント印刷のジョブの実行の指示が入力されたＭＦＰ３０が二次元コードを表示するまでのドキュメント印刷システム１０の動作のシーケンス図である。
【００８１】
利用者は、ドキュメント記憶サービス７０にドキュメント７０ａを記憶させた後、操作部３１を介してＭＦＰ３０にログインすることができる。
【００８２】
ＭＦＰ３０のドキュメント選択手段３８ａは、操作部３１を介してログインされると、図１１に示すように、ログインした利用者の利用者ＩＤに対応付けてドキュメント記憶サービス７０が記憶しているドキュメント７０ａのドキュメントリストをコンピューター４０に要求する（Ｓ１３１）。
【００８３】
次いで、コンピューター４０のドキュメントリスト取得手段４３ａは、Ｓ１３１においてＭＦＰ３０から要求されたドキュメントリストをドキュメント記憶サービス７０に要求する（Ｓ１３２）。したがって、ドキュメント記憶サービス７０は、ＭＦＰ３０にログインした利用者の利用者ＩＤに対応付けて記憶しているドキュメント７０ａのドキュメントリストをコンピューター４０に返信する（Ｓ１３３）。ここで、ドキュメント記憶サービス７０は、ドキュメントリストをコンピューター４０に返信する場合、ドキュメントリストに示されるドキュメントに対してＳ１０２において生成した印刷データに基づいて生成した、プレビュー画像用の画像データを、ドキュメントリストとともにコンピューター４０に返信しても良い。
【００８４】
次いで、コンピューター４０のドキュメントリスト取得手段４３ａは、Ｓ１３３においてドキュメント記憶サービス７０から返信されてきたドキュメントリストをＭＦＰ３０に送信する（Ｓ１３４）。ここで、ドキュメントリスト取得手段４３ａは、Ｓ１３３においてドキュメントリストとともにプレビュー画像用の画像データがドキュメント記憶サービス７０から返信されてきた場合、このプレビュー画像用の画像データを、ドキュメントリストとともにＭＦＰ３０に送信しても良い。
【００８５】
したがって、ＭＦＰ３０のドキュメント選択手段３８ａは、Ｓ１３４において送信されてきたドキュメントリストを表示部３２に表示する（Ｓ１３５）。ここで、ドキュメント選択手段３８ａは、Ｓ１３４においてドキュメントリストとともにプレビュー画像用の画像データがコンピューター４０から送信されてきた場合、この画像データに基づいた、ドキュメントのプレビュー画像を、ドキュメントリストとともに、または、ドキュメントリストとは別に、表示部３２に表示しても良い。
【００８６】
利用者は、Ｓ１３５において表示部３２に表示されたドキュメントから、印刷を希望するドキュメントを操作部３１を介して選択することができる。ここで、利用者は、印刷を希望するドキュメントの選択とともに、このドキュメントに対して適用を希望する印刷設定を操作部３１を介して指定することもできる。指定可能な印刷設定としては、例えば、印刷する部数の設定、印刷する記録媒体のサイズの設定、モノクロ印刷およびカラー印刷の何れであるかの設定、両面印刷および片面印刷の何れであるかの設定などが存在する。
【００８７】
ドキュメント選択手段３８ａは、利用者が印刷を希望するドキュメントが操作部３１を介して選択されると、選択されたドキュメントのドキュメントＩＤを例えばＳＭＢ（Ｓｅｒｖｅｒ  Ｍｅｓｓａｇｅ  Ｂｌｏｃｋ）プロトコルを使用してコンピューター４０に送信する（Ｓ１３６）。ここで、ＭＦＰ３０の印刷設定受付手段３８ｄは、利用者が印刷を希望するドキュメントが選択される場合に、このドキュメントに対して適用を希望する印刷設定が操作部３１を介して指定されたとき、この印刷設定を受け付ける。そして、ドキュメント選択手段３８ａは、印刷設定受付手段３８ｄによって印刷設定が受け付けられた場合に、この印刷設定をＳ１３６においてドキュメントＩＤとともにコンピューター４０に送信する。
【００８８】
コンピューター４０の印刷データ生成手段４３ｂは、Ｓ１３６においてＭＦＰ３０から送信されてきたドキュメントＩＤを受信すると、このドキュメントＩＤのドキュメントをドキュメント記憶サービス７０に要求する（Ｓ１３７）。したがって、ドキュメント記憶サービス７０は、Ｓ１３７において要求されたドキュメント７０ａをコンピューター４０に返信する（Ｓ１３８）。ここで、ドキュメント記憶サービス７０は、ページ数情報７０ｂに示されているドキュメント７０ａのページ数を、ドキュメント７０ａとともにコンピューター４０に送信する。
【００８９】
コンピューター４０の印刷データ生成手段４３ｂは、Ｓ１３８においてドキュメント記憶サービス７０から返信されてきたドキュメント７０ａを受信すると、このドキュメント７０ａの印刷データを生成する（Ｓ１３９）。ここで、印刷データ生成手段４３ｂは、Ｓ１３６においてドキュメントＩＤとともに印刷設定を受信していた場合、この印刷設定でこのドキュメントの印刷データを生成する。印刷データ生成手段４３ｂは、生成した印刷データを記憶部４２に一時的に記憶する。
【００９０】
なお、印刷データには、印刷するページ数を示すページ数情報、印刷する記録媒体の枚数を示す枚数情報、印刷する記録媒体のサイズを示す記録媒体サイズ情報、モノクロ印刷およびカラー印刷の何れであるかを示す色情報、両面印刷および片面印刷の何れであるかを示す両面片面情報など、料金を計算するために必要な種々の情報が含まれている。
【００９１】
印刷データ生成手段４３ｂは、例えば、ドキュメントのページ数と、Ｓ１３６においてドキュメントＩＤとともに送信されてきた印刷設定に含まれる部数の設定や、両面印刷および片面印刷の何れであるかの設定などの各種の印刷設定とに基づいて、ページ数情報や枚数情報を決定する。
【００９２】
印刷データ生成手段４３ｂは、ドキュメント７０ａ自身に含まれている印刷設定と、Ｓ１３６においてドキュメントＩＤとともに送信されてきた印刷設定とに矛盾する設定が含まれている場合、Ｓ１３６においてドキュメントＩＤとともに送信されてきた印刷設定を優先する。例えば、印刷データ生成手段４３ｂは、ドキュメント自身に含まれている印刷設定にカラー印刷の設定が含まれていて、Ｓ１３６においてドキュメントＩＤとともに送信されてきた印刷設定にモノクロ印刷の設定が含まれている場合、モノクロ印刷である旨の情報を色情報として印刷データに含める。
【００９３】
なお、ドキュメント印刷システム１０は、プリンター３４によって印刷される印刷データがＭＦＰ３０に適したプリンタードライバーによって生成されることが好ましい。したがって、ドキュメント印刷システム１０は、Ｓ１３６において送信されてきた印刷設定が、ドキュメント７０ａ自身に含まれている印刷設定と同一である場合であっても、プリンター３４によって印刷される印刷データとして、ドキュメント記憶サービス７０によってＳ１０２において生成された印刷データを使用するのではなく、ＭＦＰ３０に適したプリンタードライバーを備えるコンピューター４０によって、このプリンタードライバーを利用してＳ１３９において新たに生成した印刷データを使用することが好ましい。
【００９４】
コンピューター４０の料金計算手段４３ｃは、Ｓ１３９の処理の後、ドキュメント７０ａのページ数および印刷設定と、特定の計算基準とに基づいて、今回のドキュメント印刷のジョブの料金を計算する（Ｓ１４０）。
【００９５】
ここで、料金計算手段４３ｃは、ドキュメント７０ａのページ数として、Ｓ１３８においてドキュメント記憶サービス７０から送信されてきたページ数を使用して料金を計算する。したがって、料金計算手段４３ｃは、Ｓ１３６において印刷設定が送信されてこなかった場合や、Ｓ１３６において送信されてきた印刷設定が、ドキュメント７０ａ自身に含まれている印刷設定と同一である場合には、Ｓ１４０の処理を、Ｓ１３９の処理の後ではなく、Ｓ１３８の処理の後の任意のタイミングで実行可能である。更に、料金計算手段４３ｃは、Ｓ１３８の処理の前にドキュメント記憶サービス７０からページ数が送信されてくる構成にすれば、Ｓ１３７の処理の前など、ドキュメント記憶サービス７０からページ数が送信されてきた後であって、Ｓ１３６の処理の後の任意のタイミングで実行可能である。
【００９６】
例えば、印刷設定に両面印刷が設定されていれば、印刷は、１部あたりにつき、ドキュメント７０ａのページ数の半分の枚数の記録媒体に実行されることになる。料金計算手段４３ｃは、この枚数を料金に反映しても良い。
【００９７】
また、印刷設定に複数の部数が設定されていれば、印刷は、記録媒体の印刷面として、ドキュメント７０ａのページ数に部数を乗じた数の印刷面に実行されることになる。料金計算手段４３ｃは、この印刷面の数を料金に反映しても良い。
【００９８】
コンピューター４０の決済用通信手段４３ｄは、Ｓ１４０の処理の後、Ｓ１４０で計算された料金での支払いコードをオンライン決済サービス５０に要求する（Ｓ１４１）。ここで、決済用通信手段４３ｄは、Ｓ１３６においてドキュメントＩＤとともにＭＦＰ３０から送信されてきたＭＦＰＩＤにＭＦＰ管理情報４２ｂにおいて対応付けられている管理者ＩＤと、コンピューター４０のコンピューターＩＤとをＳ１４１の要求に含める。なお、Ｓ１４１の処理は、Ｓ１４０の処理の後であれば、任意のタイミングで実行可能である。例えば、Ｓ１４１の処理は、Ｓ１４０の処理がＳ１３９の処理の前に実行される場合には、Ｓ１３９の処理以前に実行されても良い。
【００９９】
したがって、オンライン決済サービス５０は、Ｓ１４１の要求に応じて支払いコードを発行してコンピューター４０に返信する（Ｓ１４２）。なお、オンライン決済サービス５０は、発行した支払いコードを、Ｓ１４１における要求に含まれていた管理者ＩＤ、料金およびコンピューターＩＤを対応付けて支払いコード管理情報５０ｃに記憶する。
【０１００】
コンピューター４０の決済用通信手段４３ｄは、Ｓ１４２においてオンライン決済サービス５０から返信されてきた支払いコードを示すＱＲコード（登録商標）などの二次元コードを生成する（Ｓ１４３）。なお、決済用通信手段４３ｄは、Ｓ１４２においてオンライン決済サービス５０から返信されてきた支払いコードを、Ｓ１３６においてドキュメントＩＤとともにＭＦＰ３０から送信されていたＭＦＰＩＤと、Ｓ１３９において生成した印刷データの印刷データＩＤとに対応付けて支払いコード管理情報４２ｃに記憶する。Ｓ１４３の処理は、Ｓ１４２の処理の後であれば、任意のタイミングで実行可能である。例えば、Ｓ１４３の処理は、Ｓ１４２の処理がＳ１３９の処理の前に実行される場合には、Ｓ１３９の処理以前に実行されても良い。
【０１０１】
次いで、決済用通信手段４３ｄは、Ｓ１４３において生成した二次元コードをＭＦＰ３０に送信する（Ｓ１４４）。
【０１０２】
したがって、ＭＦＰ３０の支払いコード通知手段３８ｂは、Ｓ１４４においてコンピューター４０から送信されてきた二次元コードを表示部３２に表示する（Ｓ１４５）。
【０１０３】
次に、利用者端末２０が二次元コードを読み取ってからＭＦＰ３０がドキュメント印刷のジョブの実行を終了するまでのドキュメント印刷システム１０の動作について説明する。
【０１０４】
図１２は、利用者端末２０が二次元コードを読み取ってからＭＦＰ３０がドキュメント印刷のジョブの実行を終了するまでのドキュメント印刷システム１０の動作のシーケンス図である。
【０１０５】
利用者は、Ｓ１４５においてＭＦＰ３０の表示部３２に表示された二次元バーコードを利用者端末２０の撮影部２３によって読み取らせるように、利用者端末２０を操作することができる。利用者端末２０の決済指示手段２６ａは、表示部３２に表示された二次元バーコードを撮影部２３によって読み取らせるように利用者端末２０が操作されると、図１２に示すように、表示部３２に表示された二次元バーコードを撮影部２３によって読み取る（Ｓ１６１）。
【０１０６】
次いで、決済指示手段２６ａは、Ｓ１６１において読み取った二次元バーコードを解釈して、この二次元バーコードによって示される支払いコードと、利用者ＩＤとをオンライン決済サービス５０に送信する（Ｓ１６２）。
【０１０７】
したがって、オンライン決済サービス５０は、Ｓ１６２において利用者端末２０から送信されてきた支払いコードおよび利用者ＩＤに基づいて、支払いコードに支払いコード管理情報５０ｃにおいて対応付けられている料金と、利用者ＩＤに利用者銀行口座情報５０ａにおいて関連付けられている銀行口座の情報とを利用者端末２０に返信する（Ｓ１６３）。
【０１０８】
利用者端末２０の決済指示手段２６ａは、料金と、銀行口座の情報とがオンライン決済サービス５０から送信されてくると、料金の支払いのための支払い画面８０（図１３参照。）を表示部２２に表示する（Ｓ１６４）。
【０１０９】
図１３は、支払い画面８０の一例を示す図である。
【０１１０】
図１３に示すように、支払い画面８０は、オンライン決済サービス５０から送信されてきた銀行口座の情報を示すテキスト８１と、オンライン決済サービス５０から送信されてきた料金を示すテキスト８２と、銀行口座のパスワード、すなわち、その銀行口座からの引き落としを銀行口座管理システム６０が許可するためのパスワードが入力されるためのテキストボックス８３とを含んでいる。
【０１１１】
図１３においては、支払い画面８０に表示される銀行口座の情報として銀行の名称を示している。しかしながら、支払い画面８０には、銀行口座の情報として、銀行の名称以外の情報が、銀行の名称に加えて、または、銀行の名称に代えて、表示されても良い。なお、Ｓ１６３においては、銀行口座の情報のうち、支払い画面８０に表示される情報のみが返信されれば良い。
【０１１２】
図１２に示すように、決済指示手段２６ａは、テキストボックス８３に銀行口座のパスワードが入力されると、入力されたパスワードをオンライン決済サービス５０に送信する（Ｓ１６５）。
【０１１３】
したがって、オンライン決済サービス５０は、Ｓ１６５において利用者端末２０から送信されてきたパスワードが正しい場合にのみ、銀行口座管理システム６０が管理している銀行口座のうち、Ｓ１６２において利用者端末２０から送信されてきた利用者ＩＤに利用者銀行口座情報５０ａにおいて関連付けられている銀行口座から、Ｓ１６２において利用者端末２０から送信されてきた支払いコードに支払いコード管理情報５０ｃにおいて対応付けられている料金を引き落とす（Ｓ１６６）。
【０１１４】
次いで、オンライン決済サービス５０は、Ｓ１６６において引き落とした料金を、Ｓ１６２において利用者端末２０から送信されてきた支払いコードに支払いコード管理情報５０ｃにおいて対応付けられている管理者ＩＤに管理者口座情報５０ｂにおいて関連付けられている口座に振り込む（Ｓ１６７）。
【０１１５】
次いで、オンライン決済サービス５０は、料金の支払いが完了した旨を示す支払い完了通知と、Ｓ１６２において利用者端末２０から送信されてきた支払いコードとを、この支払いコードに支払いコード管理情報５０ｃにおいて対応付けられているコンピューターＩＤのコンピューター４０に送信する（Ｓ１６８）。
【０１１６】
コンピューター４０の決済用通信手段４３ｄは、Ｓ１６８においてオンライン決済サービス５０から支払い完了通知が送信されてくると、記憶部４２に記憶している印刷データのうち、Ｓ１６８においてオンライン決済サービス５０から支払い完了通知とともに送信されてきた支払いコードに支払いコード管理情報４２ｃにおいて対応付けられている印刷データＩＤの印刷データを、この支払いコードに支払いコード管理情報４２ｃにおいて対応付けられているＭＦＰＩＤのＭＦＰ３０に送信する（Ｓ１６９）。
【０１１７】
ＭＦＰ３０のドキュメント印刷手段３８ｃは、Ｓ１６９においてコンピューター４０から印刷データが送信されてくると、この印刷データに基づいてプリンター３４で印刷を実行する（Ｓ１７０）。
【０１１８】
以上に説明したように、ドキュメント印刷システム１０は、ドキュメントのページ数および印刷設定に基づいた正確な料金が支払われた（Ｓ１６５〜Ｓ１６７）後で、このドキュメントの印刷データに基づいた印刷を実行する（Ｓ１７０）ので、「ドキュメント記憶サービス７０に記憶されているドキュメントの印刷を実行する」というドキュメント印刷のジョブの実行が料金の支払いの滞りによって途中で停止されることがなく、利便性の向上を実現することができる。
【０１１９】
ドキュメント印刷システム１０は、料金の支払いにコインベンダーではなくオンライン決済サービス５０を利用するため、料金がＭＦＰ３０の利用者の銀行口座からＭＦＰ３０の管理者の口座に直接振り込まれるので、コインベンダーからの料金の取得作業が不要であり、人件費の低減と、料金の安全な受け取りとを実現することができる。
【０１２０】
ドキュメント印刷システム１０は、料金の支払いにコインベンダーではなくオンライン決済サービス５０を利用するので、コインベンダーがあまり利用されていない国であっても、容易に導入されることが可能である。
【０１２１】
ドキュメント印刷システム１０は、ＭＦＰ３０が支払いコードを表示部３２への表示によって通知する（Ｓ１４５）ので、利用者端末２０と、ＭＦＰ３０とが互いに通信できない場合であっても、ＭＦＰ３０の表示部３２に表示された支払いコードを使用して利用者端末２０によってオンライン決済サービス５０経由で料金を支払うことができる。
【０１２２】
ドキュメント印刷システム１０は、支払いコードが二次元コードとしてコンパクトにＭＦＰ３０の表示部３２に表示されるので、利用者端末２０の撮影部２３によって撮影し易く、利便性を向上することができる。なお、ドキュメント印刷システム１０は、文字列や一次元コードなど、二次元バーコードより利用者端末２０の撮影部２３によって撮影し難い方法で支払いコードが表示部３２に表示されても良い。
【０１２３】
ドキュメント印刷システム１０は、表示部３２に表示された支払いコードを撮影部２３によって撮影することによって取得するので、ＭＦＰ３０の表示部３２に表示された支払いコードを利用者端末２０の利用者が利用者端末２０に手入力する必要がない。したがって、ドキュメント印刷システム１０は、利便性を向上することができる。なお、ドキュメント印刷システム１０は、二次元バーコードではなく、文字列など、利用者端末２０の利用者が理解可能な方法で支払いコードを表示部３２に表示する場合、ＭＦＰ３０の表示部３２に表示された支払いコードが利用者端末２０の利用者によって利用者端末２０に手入力される構成でも良い。
【０１２４】
ドキュメント印刷システム１０は、ＭＦＰ３０の印刷設定受付手段３８ｄによって受け付けられた印刷設定に基づいてコンピューター４０の印刷データ生成手段４３ｂが印刷データを生成するので、ドキュメント記憶サービス７０に記憶されているドキュメント７０ａを、利用者がＭＦＰ３０から指定した印刷設定で印刷することができる。
【０１２５】
ドキュメント印刷システム１０は、ドキュメント７０ａを記憶するドキュメント記憶サービス７０がドキュメント７０ａのページ数をドキュメント７０ａに基づいて取得する（Ｓ１０３）ので、プリンター３４によって印刷される印刷データがコンピューター４０によって生成される（Ｓ１３９）前にドキュメント７０ａのページ数がドキュメント記憶サービス７０によって取得されることが可能であり、ドキュメント記憶サービス７０にＭＦＰ３０がコンピューター４０を介して間接的にアクセスして（Ｓ１３１〜Ｓ１３４）からドキュメント７０ａを印刷する（Ｓ１７０）までの時間を短縮することができる。
【０１２６】
なお、利用者は、通常、ＭＦＰ３０の操作部３１を操作可能な位置まで移動する前に、利用者端末２０や、ＰＣなどの図示していないコンピューターからドキュメント記憶サービス７０にドキュメント７０ａを記憶させることが多い。そのため、利用者がＭＦＰ３０の操作部３１を操作可能な位置に到着した時点で、このドキュメント７０ａのページ数は、ドキュメント記憶サービス７０によって取得されている可能性が高い。したがって、ドキュメント印刷システム１０は、プリンター３４によって印刷される印刷データがコンピューター４０によって生成される（Ｓ１３９）前にドキュメント７０ａのページ数がドキュメント記憶サービス７０によって取得される（Ｓ１０３）可能性が高い。
【０１２７】
ドキュメント印刷システム１０は、本実施の形態において、ＭＦＰ３０の管理者の口座として、オンライン決済サービス５０によって管理されている口座を利用している。しかしながら、ドキュメント印刷システム１０は、ＭＦＰ３０の管理者の口座として、オンライン決済サービス５０によって管理されている口座ではなく、銀行口座を利用する構成でも良い。
【０１２８】
ドキュメント印刷システム１０は、本実施の形態において、ＭＦＰ３０の利用者の口座として、銀行口座を利用している。しかしながら、ドキュメント印刷システム１０は、ＭＦＰ３０の利用者の口座として、銀行口座ではなく、オンライン決済サービス５０によって管理されている口座を利用する構成でも良い。
【０１２９】
ドキュメント印刷システム１０は、コンピューター４０の上述した機能の少なくとも一部をＭＦＰ３０がドキュメント印刷プログラム３７ａの実行によって実現する構成でも良い。例えば、ドキュメント印刷システム１０は、コンピューター４０のドキュメントリスト取得手段４３ａ、印刷データ生成手段４３ｂおよび料金計算手段４３ｃに相当する機能をＭＦＰ３０が実現する構成でも良い。ドキュメント印刷システム１０は、コンピューター４０の上述した全ての機能をＭＦＰ３０が実現する構成である場合、コンピューター４０を備えなくても良い。
【０１３０】
ドキュメント印刷システム１０は、本実施の形態において、ドキュメント７０ａのページ数として、Ｓ１３８においてドキュメント記憶サービス７０から送信されてきたページ数を使用して料金を計算する。しかしながら、ドキュメント印刷システム１０は、ドキュメント７０ａのページ数として、Ｓ１３９において生成された印刷データに基づいたページ数を使用して料金を計算しても良い。
【０１３１】
本発明は、本実施の形態において、「ドキュメント記憶サービス７０に記憶されているドキュメント７０ａ」に適用されている。しかしながら、本発明は、「ドキュメント記憶サービス７０に記憶されているドキュメント７０ａ」以外のドキュメントの印刷にも適用されることが可能である。
【０１３２】
本発明の画像形成装置は、本実施の形態においてＭＦＰであるが、プリンター専用機など、ＭＦＰ以外の画像形成装置でも良い。
【符号の説明】
【０１３３】
１０  ドキュメント印刷システム
２０  利用者端末
２３  撮影部（撮影デバイス）
３０  ＭＦＰ（画像形成装置）
３２  表示部（表示デバイス）
３４  プリンター（印刷デバイス）
３７ａ  ドキュメント印刷プログラム
３８ｂ  支払いコード通知手段
３８ｃ  ドキュメント印刷手段
３８ｄ  印刷設定受付手段
４３ｂ  印刷データ生成手段
４３ｃ  料金計算手段
５０  オンライン決済サービス
７０  ドキュメント記憶サービス
７０ａ  ドキュメント
【図１】
2018043471.tif 000003
【図２】
2018043471.tif 000004
【図３】
2018043471.tif 000005
【図４】
2018043471.tif 000006
【図５】
2018043471.tif 000007
【図６】
2018043471.tif 000008
【図７】
2018043471.tif 000009
【図８】
2018043471.tif 000010
【図９】
2018043471.tif 000011
【図１０】
2018043471.tif 000012
【図１１】
2018043471.tif 000013
【図１２】
2018043471.tif 000014
【図１３】
2018043471.tif 000015